(57)【要約】      （修正有）【課題】シャトルコック及びその羽根を提供する。【解決手段】人工シャトルコック９に運用される羽根１であって、複数の羽根１が各々複数の羽軸部９２及びコルク９１と結合して人工シャトルコック９を形成する。羽根１は、連結部１０と抵抗部２０とを含む。連結部１０が羽軸部９２に連結する。抵抗部２０は、連結部１０に連結し、複数の低空気抵抗領域２２と高空気抵抗領域２１とを包括し、これら低空気抵抗領域２２が各々高空気抵抗領域２１内に囲まれる。【選択図】図１
0003210826.tif 000002
【実用新案登録請求の範囲】
【請求項１】
人工シャトルコックに運用される羽根であって、複数の前記羽根が各々複数の羽軸部及びコルクと結合して前記人工シャトルコックを形成し、前記羽根は、
前記羽軸部に連結する連結部と、
前記連結部に連結し、複数の低空気抵抗領域と高空気抵抗領域とを包括し、前記低空気抵抗領域が各々高空気抵抗領域内に囲まれる抵抗部と、
を含むことを特徴とする羽根。
【請求項２】
前記連結部が、長直状を呈し、かつ前記羽軸部に連結することを特徴とする請求項１に記載の羽根。
【請求項３】
前記高空気抵抗領域が前記連結部を環囲し、前記抵抗部に複数の仮想参考線を設け、前記低空気抵抗領域が各々前記仮想参考線上に設けられることを特徴とする請求項２に記載の羽根。
【請求項４】
前記仮想参考線と前記連結部の間の交角は、各々４０〜８０度とすることを特徴とする請求項３に記載の羽根。
【請求項５】
前記仮想参考線と前記連結部の間の交角は、各々６５度とすることを特徴とする請求項４に記載の羽根。
【請求項６】
各前記低空気抵抗領域の長さは、０．３ｍｍ〜２．６ｍｍとすることを特徴とする請求項５に記載の羽根。
【請求項７】
前記羽根は、密度が０．９ｇ／ｃｍ３〜１．４８ｇ／ｃｍ３のプラスチック又は密度が１．４ｇ／ｃｍ３〜１．９ｇ／ｃｍ３のガラス繊維で製造されることを特徴とする請求項６に記載の羽根。
【請求項８】
前記低空気抵抗領域が、針状棒で前記高空気抵抗領域を挿通して形成されることを特徴とする請求項７に記載の羽根。
【請求項９】
前記羽根が、略凧形を呈し、長対角線と短対角線とを有し、前記長対角線の長さは３０ｍｍ〜４５ｍｍで、前記短対角線の長さが１０ｍｍ〜２０ｍｍとし、前記参考線の間は１ｍｍ〜２１ｍｍの間隔とすることを特徴とする請求項８に記載の羽根。
【請求項１０】
前記低空気抵抗領域の面積が、２２ｃｍ２より小さいか又は等しいことを特徴とする請求項６に記載の羽根。
【請求項１１】
コルクと、
一端が前記コルクに挿設された複数の羽軸部と、
前記羽軸部の他端に各々設けられた複数の請求項１〜１０のいずれか一項に記載の羽根と、
を含むことを特徴とするシャトルコック。
【考案の詳細な説明】
【技術分野】
【０００１】
本考案は、羽根に関し、特に、シャトルコックに使用される羽根に関する。
【背景技術】
【０００２】
バドミントン試合は、よく見られ且つ流行する球類スポーツであり、プレイヤーがシャトルコックを打つことを試合方式とする。従来のシャトルコックの構造は、天然羽毛をコルクに埋め込み、天然の羽の多くがガチョウの羽毛又はアヒルの羽毛で、それを漂白して選別してからシャトルコックとして製造する。
【０００３】
しかし天然羽毛の入手は、益々困難となり、且つ選別も手間がかかるため、現在では人工シャトルコックの選択肢を利用者に提供している。現在人工シャトルコックの多くがナイロン製の軟らかい人工羽根が天然羽毛に取って代わり、シャトルコックを打った際に生じる風を軟らかい人工羽根が適度に払いのけることによって逃がすことができる。しかしながらこの種の人工羽根で製造されたシャトルコックが提供する打感は、天然羽毛で製造されたシャトルコックにはかなわないため、利用者はやはり天然羽毛の使用を主としている。
【考案の概要】
【考案が解決しようとする課題】
【０００４】
本考案が解決しようとする課題は、天然シャトルコックに近似する人工シャトルコックの羽根を提供することである。
【課題を解決するための手段】
【０００５】
上記課題を解決するため、本考案は人工シャトルコックに運用される羽根を提供し、複数の該羽根が各々複数の羽軸部及びコルクと結合して該人工シャトルコックを形成する。羽根は、連結部と抵抗部とを含む。連結部が羽軸部に連結する。抵抗部は、連結部に連結し、複数の低空気抵抗領域と高空気抵抗領域とを包括し、これら低空気抵抗領域が各々高空気抵抗領域内に囲まれる。
【０００６】
本考案は、別の実施例を更に提供し、連結部が長直状を呈し、かつ該羽軸部に対応する。
【０００７】
本考案は、別の実施例を更に提供し、高空気抵抗領域が連結部を環囲し、抵抗部に複数の仮想参考線を設け、それら低空気抵抗領域が各々それら参考線上に設けられる。
【０００８】
本考案は、別の実施例を更に提供し、それら参考線と該連結部の間の交角は、各々４０〜８０度とする。
【０００９】
本考案は、別の実施例を更に提供し、それら参考線と該連結部の間の交角が各々６５度とする。
【００１０】
本考案は、別の実施例を更に提供し、それら低空気抵抗領域の長さが０．３ｍｍ〜２．６ｍｍとする。
【００１１】
本考案は、別の実施例を更に提供し、羽根は、密度が０．９ｇ／ｃｍ３〜１．４８ｇ／ｃｍ３のプラスチック又は密度が１．４ｇ／ｃｍ３〜１．９ｇ／ｃｍ３のガラス繊維で製造される。
【００１２】
本考案は、別の実施例を更に提供し、低空気抵抗領域が針状棒で高空気抵抗領域を挿通して形成される。
【００１３】
本考案は、別の実施例を更に提供し、羽根が略凧形を呈し、長対角線と短対角線とを有する。長対角線の長さは、３０ｍｍ〜４５ｍｍで、短対角線の長さが１０ｍｍ〜２０ｍｍとし、それら参考線の間は、１ｍｍ〜２１ｍｍの間隔とする。
【００１４】
本考案は、別の実施例を更に提供し、各該低空気抵抗領域の面積が、２２ｍｍ２より小さいか又は等しい。
【００１５】
本考案は、シャトルコックを更に提供し、コルクと複数の羽軸部と前記羽根とを包括する。羽軸部の一端がコルクに挿設され、羽軸部の他端に前記羽根を設ける。
【考案の効果】
【００１６】
前記実施例を通じて、本考案が提供する羽根は、少なくとも以下の利点を有する。つまり抵抗部が高空気抵抗領域と低空気抵抗領域とを包括することで、羽根がシャトルコックの飛翔過程において、異なる空気抵抗を提供することで、天然シャトルコックの打感に近づけることができる。
【図面の簡単な説明】
【００１７】
【図１】本考案に係るシャトルコックの立体図である。
【図２】本考案に係る羽根の平面図である。
【考案を実施するための形態】
【００１８】
本考案の技術的特徴を審査官に更に理解してもらうため、以下に好ましい具体的実施例を挙げて説明する。
【００１９】
図１を参照すると、本考案は、コルク９１、複数の羽軸部９２及び複数の羽根１を組み立てからなる人工シャトルコック９を提供し、羽根１の特殊構造を通じて人工シャトルコック９が天然羽毛で製造されたシャトルコックの打感に近づけられる。各羽根１は各々羽軸部９２と組み立てから羽軸部９２を通じてコルク９１に挿設され、つまり羽軸部９２の一端がコルク９１に挿設され、羽軸部９２の他端に羽根１を設けることで、シャトルコック９を形成する。
【００２０】
本考案で提供する羽根１は、その密度が０．９ｇ／ｃｍ３〜１．４８ｇ／ｃｍ３のプラスチック又は密度が１．４ｇ／ｃｍ３〜１．９ｇ／ｃｍ３のガラス繊維で製造される。プラスチックには低密度ポリエチレン（ｌｏｗ  ｄｅｎｓｉｔｙ  ｐｏｌｙｅｔｈｙｌｅｎｅ，ＬＤＰＥ）、ポリエチレンテレフタレート（ｐｏｌｙｅｔｈｙｌｅｎｅ  ｔｅｒｅｐｈｔｈａｌａｔｅ，ＰＥＴ）、ポリエチレン樹脂（ｐｏｌｙｅｔｈｙｌｅｎｅ，ＰＥ）、ポリプロピレン（ｐｏｌｙｐｒｏｐｙｌｅｎｅ，ＰＰ）、アクリロニトリル・ブタジエン・スチレン共重合体（ａｃｒｙｌｏｎｉｔｒｉｌｅ−ｂｕｔａｄｉｅｎｅ−ｓｔｙｒｅｎｅ，ＡＢＳ）、ポリアミド（ｐｏｌｙａｍｉｄｅ，ＰＡ）及び発泡ポリエチレン（ｅｘｔｒｕｄｅｄ  ｐｏｌｙｅｔｈｙｌｅｎｅ，ＥＰＥ）等が含まれる。その全体的な輪郭は、天然シャトルコックの羽毛の輪郭に大まかに対応し、つまり略凧形を呈する。羽根１は、連結部１０と抵抗部２０とを包括し、連結部１０が長直状となり、羽軸部９２の形状に対応し、抵抗部２０が連結部１０の両側に設けられる。両側の抵抗部２０は、各々鈍角三角形９５〜１３５度となり、好ましくは１１０〜１３５度である。連結部１０の両側の抵抗部２０が連結部１０を軸対称とすることができ、連結部１０の両側の抵抗部２０の輪郭も非対称とすることができ、製造者は所要の打感により羽根１の外形を調整できる。両側の抵抗部２０が非対称の時、つまり一側の抵抗部２０を幅狭辺とし、他側の抵抗部２０を幅広辺とし、幅狭辺の抵抗部２０の輪郭が直線状を呈し、幅広辺の抵抗部２０の輪郭が円弧状を呈する。両側の抵抗部２０が対称である時、両側の抵抗部２０の輪郭が円弧状を呈する。
【００２１】
図２を参照してからも分かる通り、本考案で提供する実施例の連結部１０の両側の抵抗部２０は対称で、羽根１が略凧形を呈し、長対角線Ｌ１と短対角線Ｌ２を有し、実際の製品の羽根１の辺角が大半円弧線となる。本考案の実施例において、連結部１０は羽根１の長対角線Ｌ１に対応する。長対角線Ｌ１の長さが３０〜４５ｍｍで、好ましくは３８ｍｍである。短対角線Ｌ２の長さが１０ｍｍ〜２０ｍｍで、好ましくは１３．５ｍｍ〜１７ｍｍである。羽根１の厚さが０．２ｍｍ〜１．８ｍｍで、好ましくは０．６ｍｍ〜１．８ｍｍである。製造者は、所要の重量配分、空気抵抗の大きさによって所要の面積及び厚さを調整できる。本考案その他の実施例において、羽根１の輪郭形状は楕円又は多辺形を呈することもできる。
【００２２】
抵抗部２０は、高空気抵抗領域２１と複数の低空気抵抗領域２２とを包括し、各低空気抵抗領域２２が各々高空気抵抗領域２１に包囲される。本考案の実施例において、高空気抵抗領域２１に針状棒（図示せず）で突き刺し、羽根１の繊維が針状棒で押し合われて突き刺し部分に少し繊維のみを残留して低空気抵抗領域２２を発生させることができる。本考案の別の実施例にいて、製造者も刃物で高空気抵抗領域２１の一部繊維を切断することで、低空気抵抗領域２２を発生することができる。本考案は、異なる形状の低空気抵抗領域２２を発生するため、刃物の形状を限定せず、片状や円筒状とすることもできる。針状棒による突き刺し及び刃物による切断という２つの実施例の相違点は、低空気抵抗領域２２の繊維が残留するかどうかだけである。
【００２３】
細かく言うと、羽根１の製造過程において、先に述べたようにまず全部が高空気抵抗領域２１の羽根１を提供し、そして針状棒又は刃物で高空気抵抗領域２１に穴部或いは切口（低空気抵抗領域２２）を発生するため、各低空気抵抗領域２２が高空気抵抗領域２１に囲まれる。高空気抵抗領域２１及び低空気抵抗領域２２は、羽根１繊維の分布密度の差を通じて、高空気抵抗領域２１と低空気抵抗領域２２がシャトルコック９の飛行過程中に、異なる空気抵抗を生じさせる。上記の製造方法からも分かる通り、低空気抵抗領域２２は、穴部或いは切口とすると共に針状棒又は刃物の構造形状によって異なる形状を呈すことができ、例えば、菱形、梅の花の形、多辺形、楕円形、長方形等とすることができるが、これに限定されない。また、低空気抵抗領域２２の長さが０．３ｍｍ〜２．６ｍｍとし、長さが円形の低空気抵抗領域２２の直径Ｄ又はその他の形状の低空気抵抗領域２２の最大長さとすることができる。低空気抵抗領域２２は円形の穴部又は長方形の切口であるかを問わず、好ましくはその面積がいずれも２２ｍｍ２より小さいか又は等しい。
【００２４】
また、各低空気抵抗領域２２の配置位置は、連結部１０の位置と関係する。製造過程中において、製造者は突き刺す前の抵抗部２０に複数本の仮想参考線２３をレイアウトでき、参考線２３が参考用表示のみで、実質的に存在する線とは限らない。参考線２３と連結部１０は角度θを交われ、角度θが４０〜８０度とし、本考案の実施例において、角度θが６５度とした。角度θの数値は、天然羽毛の羽部と羽軸部の交角を参考にし、製造者が風洞実験を通じて角度θを調整することで、シャトルコック９が飛行している時、天然羽毛の気流形態に近づけさせる。例を挙げて言うと、羽根１の短対角線Ｌ２の長さが３ｍｍ〜１１ｍｍとする実施例において、角度θは５０〜８０度とすることができ；羽根１の短対角線Ｌ２の長さが１０ｍｍ〜２０ｍｍとする実施例において、角度θは４０〜７０度とすることができる。
【００２５】
且つ、各参考線２３は、間隔を置いて設けられ、羽根１の長対角線Ｌ１を画成する両端が頂部Ｔ及び底部Ｂとし、最も頂部Ｔに近い参考線２３が頂部Ｔと６ｍｍ〜９ｍｍの距離を有し、最も底部Ｂに近い参考線２３が底部Ｂと６ｍｍ〜９ｍｍの距離を有し、且つ好ましくは７ｍｍの距離を有する。また、いずれかの２本の参考線２３の間隔は、１ｍｍ〜２１ｍｍとすることができる。好ましくは、羽根１の短対角線Ｌ２の長さが３ｍｍ〜１１ｍｍとする実施例において、各参考線２３の間隔は同樣に７ｍｍとする。製造者は、所要の空気抵抗係数によって、参考線２３の間隔を調整でき、３．５ｍｍとすることもできる。羽根１の短対角線Ｌ２の長さが１０ｍｍ〜２０ｍｍとする実施例において、各参考線２３の間隔は２．５ｍｍ〜３．５ｍｍとすることができる。
【００２６】
参考線２３が設けられた時、製造者は、参考線２３に沿って突き刺すことで低空気抵抗領域２２を形成できる。言い換えると、抵抗部２０の低空気抵抗領域２２は、参考線２３上に設けられ、２つの隣接する低空気抵抗領域２２のつなぎ線が、参考線２３とする。抵抗部２０は、５〜４０個の低空気抵抗領域２２を設けることができ、好ましくは３０個である。
【００２７】
上述をまとめると、本考案で提供する羽根は、少なくとも以下の利点を有する。抵抗部は高空気抵抗領域と低空気抵抗領域とを包括することで、羽根がシャトルコックの飛翔過程において、異なる空気抵抗を提供することで、天然シャトルコックの打感に近づけると共に天然シャトルコックの飛行安定性にも近づけさせる。
【００２８】
本実施形態は、本考案の好ましい実施例のみを例示し、長々とした説明を避けるため、全ての可能な変化の組み合わせを詳細に記載していない。しかしながら、上記各モジュール又は素子が必ず必要なわけではないことについて、この分野における通常の知識を有する者は、明白だろう。かつ本考案を実施するため、その他の比較的細部の従来モジュール又は素子も含む可能性がある。各モジュール又は素子は、いずれも需要を見て省略或いは修正でき、かついずれかの両モジュールの間に必ずそのモジュール又は素子が存在しないわけではない。
【００２９】
上記は実施例であり、本考案はそのような実施例にのみ限定して狭義に解釈されるべきものではない。例えば、本考案の基本構造から逸脱しない場合、均しく本考案が主張する権利範囲に属し、実用新案登録請求の範囲に準ずる。
【符号の説明】
【００３０】
１ 羽根
１０ 連結部
２０ 抵抗部
２１ 高空気抵抗領域
２２ 低空気抵抗領域
２３ 参考線
９ シャトルコック
９１ コルク
９２ 羽軸部
Ｌ１ 長対角線
Ｌ２ 短対角線
Ｔ 頂部 
Ｂ 底部
θ 角度
Ｄ 直径
【図１】
0003210826.tif 000003
【図２】
0003210826.tif 000004